(57)【要約】【課題】ブラシホルダ装置の大型化を抑制しながら、成形性が高く、低コストで製造することができるブラシホルダ装置を提供する。【解決手段】ブラシホルダ３０は、金属からなるブラシケース３１と、熱硬化性樹脂からなるプレート３２とを備え、ブラシケース３１の掛け止めフックを、プレート３２の切り欠き部に貫通させて、ブラシケース３１とプレート３２とを係合してブラシホルダ３０が構成される。そして、ブラシホルダ３０に備えられるプレート３２が、熱可塑性樹脂からなる上側エンドハウジング１０に構成された第１及び第２係止突起１５，１６の壁面に当接させるようにして第１及び第２切り欠き部１５ａ，１６ａに圧入されると、第１及び第２係止突起１５，１６に備えられた突条によりプレート３２が押圧されて固定されるブラシホルダ装置とした。【選択図】図４
2011193688.tif 000002
【特許請求の範囲】
【請求項１】
ブラシケースを有するブラシホルダをモータケースと一体形成されたブラシ保持部に取着し、前記ブラシ保持部と前記ブラシケースとで形成される空間にブラシを、整流子に向かって摺動可能に配置するとともに、前記ブラシを弾性部材にて整流子側に押圧するように構成したブラシホルダ装置であって、
前記空間に配置されたブラシと前記ブラシ保持部の間に、熱硬化性樹脂からなるプレートとを配設したことを特徴とするブラシホルダ装置。
【請求項２】
請求項１に記載のブラシホルダ装置において、
前記ブラシケースは、断面略コ字形状に形成された金属製からなり、その断面略コ字形状に形成された開口部が前記プレートにより塞がれるように、前記プレートに設けた被係止部と抜け止め係合する係止部が設けられ、
その被係止部とその係止部が係合することで、前記金属製のブラシケースと前記プレートが連結され、前記ブラシ保持部に取着されることを特徴とするブラシホルダ装置。
【請求項３】
請求項１又は２に記載のブラシホルダ装置において、
前記ブラシ保持部には、前記ブラシホルダのプレートの四隅をそれぞれ固定する係止突起が設けられ、それら前記係止突起には、前記プレートの四隅をそれぞれ同一方向から圧入し、その四隅を圧入固定する切り欠き部を備えたことを特徴とするブラシホルダ装置。
【請求項４】
請求項３に記載のブラシホルダ装置において、
前記各係止突起に形成した切り欠き部には、少なくとも１つの面に突条が備えられ、
前記突条によって、前記プレートが押圧されて、同プレートが前記ブラシ保持部に固定されることを特徴とするブラシホルダ装置。
【請求項５】
請求項２〜４のいずれか１項に記載のブラシホルダ装置において、
前記ブラシケースの反ブラシ側には、ガイド部が延出形成され、そのガイド部を折り曲げ、その折り曲げたガイド部と前記空間に配置されるブラシとの間に、弾性部材を配置したことを特徴とするブラシホルダ装置。
【請求項６】
請求項１に記載のブラシホルダ装置において、
前記ブラシケースは熱硬化性樹脂からなり、前記プレートと一体成形されてなることを特徴とするブラシホルダ装置。
【発明の詳細な説明】
【技術分野】
【０００１】
本発明は、回転電機が備えるブラシホルダ装置に関するものである。
【背景技術】
【０００２】
従来、回転電機が備えるブラシホルダにはブラシが備えられ、同ブラシは、回転軸に固着された整流子に摺接するように配設されている。ブラシは、電源から供給される電流を整流子に通電し、その際に発熱が生じる。長時間の通電による発熱によってブラシが高温になり、ブラシホルダ及びブラシホルダ装置の熱変形等を引き起こす虞があった。
【０００３】
そのため、特許文献１に記載のブラシホルダでは、ブラシ保持部とブラシとの間に隙間を設けて、ブラシ保持部が、ブラシの発熱によってブラシを挟持する方向に熱変形してもブラシが挟持されにくい構成となっている。
【０００４】
また、ブラシホルダ装置の熱変形を抑制するために、ブラシホルダが設けられるハウジング自体を熱変形し難い熱硬化性樹脂によって形成されているものが知られている。
【先行技術文献】
【特許文献】
【０００５】
【特許文献１】特開平８−２６６０１９号公報
【発明の概要】
【発明が解決しようとする課題】
【０００６】
ところで上記したような、ブラシ保持部とブラシとの間に隙間を設けたブラシホルダでは、ブラシ保持部が大型化するため、それに伴いブラシホルダ装置全体が大型化してしまう虞があった。
【０００７】
また、ブラシホルダが設けられるハウジングを熱硬化性樹脂によって構成すると、熱可塑性樹脂と比較して、成形性が低いためハウジングの形成が難しく、また材料費も高くなるため、ブラシホルダ装置（ブラシホルダ及びハウジング）の成形性及びコスト面において更なる改善が望まれていた。
【０００８】
本発明は、上記課題を解決するためになされたものであって、その目的は、ブラシホルダ装置の大型化を抑制しながら、成形性が高く、低コストで製造することができるブラシホルダ装置を提供することにある。
【課題を解決するための手段】
【０００９】
上記課題を解決するために、請求項１に記載の発明は、ブラシケースを有するブラシホルダを、モータケースと一体形成されたブラシ保持部に取着し、前記ブラシ保持部と前記ブラシケースとで形成される空間にブラシを、整流子に向かって摺動可能に配置するとともに、反整流子側に弾性部材にて、前記ブラシを整流子側に押圧するように構成したブラシホルダ装置であって、前記空間に配置されたブラシと前記ブラシ保持部の間に、熱硬化性樹脂からなるプレートとを配設したことをその要旨とする。
【００１０】
請求項１に記載の発明によれば、モータケースの一部分であるブラシを保持するブラシ保持部に対して、耐熱性に優れた熱硬化性樹脂からなるプレートを配設したので、ブラシの通電等による発熱で、プレートが熱変形等を引き起こす虞がない。
【００１１】
また、プレートを介してブラシと対向するモータケースの一部分であるブラシ保持部にブラシの熱が直接伝達されないため、ブラシ保持部が熱変形等を引き起こす虞がない。
従って、ブラシ保持部を形成するモータケースを、熱硬化性樹脂と比較して成形性が高く、厚みをより薄く成形することのできる熱可塑性樹脂にて成形することができる。その結果、ブラシホルダ装置の成形精度が上がり、ブラシホルダ装置の低騒音化及び低振動化に寄与することができる。
【００１２】
請求項２に記載の発明は、請求項１に記載のブラシホルダ装置において、前記ブラシケースは、断面略コ字形状に形成された金属製からなり、その断面略コ字形状に形成された開口部が前記プレートにより塞がれるように、前記プレートに設けた被係止部と抜け止め係合する係止部が設けられ、その被係止部とその係止部が係合することで、前記金属製のブラシケースと前記プレートが連結され、前記ブラシ保持部に取着されることをその要旨とする。
【００１３】
請求項２に記載の発明によれば、ブラシケースは、容易にプレートから抜けない。また、ブラシケースが金属製のため、ブラシの熱がブラシケースから放熱されやすくなり、その結果、ブラシからモータケースへの熱の伝達を更に抑えることができる。
【００１４】
請求項３に記載の発明は、請求項２に記載のブラシホルダ装置において、前記ブラシ保持部には、前記ブラシホルダのプレートの四隅をそれぞれ固定する係止突起が設けられ、それら前記係止突起には、前記プレートの四隅をそれぞれ同一方向から圧入し、その四隅を圧入固定する切り欠き部を備えたことをその要旨とする。
【００１５】
請求項３に記載の発明によれば、各係止突起に形成した切り欠き部に対して、プレートの四隅をそれぞれ同一方向から圧入するだけで、ブラシホルダのブラシ保持部への位置決め固定を容易に行うことが可能となる。
【００１６】
請求項４に記載の発明は、請求項３に記載のブラシホルダ装置において、前記各係止突起に形成した切り欠き部には、少なくとも１つの面に突条が備えられ、前記突条によって、前記プレートが押圧されて、同プレートが前記ブラシ保持部に固定されることをその要旨とする。
【００１７】
請求項４に記載の発明によれば、係止突起に設けられた突条が、ブラシケースを連結したプレートを押圧してブラシ保持部に固定する。
請求項５に記載の発明は、請求項２〜４のいずれか１項に記載のブラシホルダ装置において、前記ブラシケースの反ブラシ側には、ガイド部が延出形成され、そのガイド部を折り曲げ、その折り曲げたガイド部と前記空間に配置されるブラシとの間に、弾性部材を配置したことをその要旨とする。
【００１８】
請求項５に記載の発明によれば、ブラシケースの反ブラシ側には、折り曲げられたガイド部が設けられ、ブラシとガイド部との間に、弾性部材が配置される。このため、弾性部材の弾性力にてブラシを押圧するとともに、弾性部材の反発力にてブラシケースがブラシ側に移動することを抑制可能とする。
【００１９】
請求項６に記載の発明は、請求項１に記載のブラシホルダ装置において、前記ブラシケースは熱硬化性樹脂からなり、前記プレートと一体成形されてなることをその要旨とする。
【００２０】
請求項６に記載の発明によれば、熱硬化性樹脂からなるプレートとブラシケースとが一体成形されるため、プレートとブラシケースとを組み付けるための係止等の加工が不要となり、容易に成形することが可能となる。
【発明の効果】
【００２１】
本発明によれば、ブラシホルダ装置の大型化を抑制しながら、成形性が高く、低コストで製造することができるブラシホルダ装置を提供することができる。
【図面の簡単な説明】
【００２２】
【図１】本実施形態における回転電機の斜視図である。
【図２】本実施形態における回転電機の断面図である。
【図３】本実施形態における回転電機のケースの分解斜視図である。
【図４】本実施形態におけるブラシホルダ構造の斜視図である。
【図５】本実施形態におけるブラシホルダの分解斜視図である。
【図６】本実施形態における上側エンドハウジングの斜視図である。
【図７】本実施形態におけるブラシ保持部の拡大断面図である。
【図８】本実施形態における回転電機の要部断面図である。
【図９】（ａ）は、別例におけるブラシホルダの分解斜視図であり、（ｂ）は、そのブラシホルダを組み付けた状態の斜視図である。
【図１０】別例におけるブラシホルダの斜視図である。
【発明を実施するための形態】
【００２３】
以下、本発明を具体化した一実施形態を図面に従って説明する。
図１は、本実施形態の回転電機１の斜視図を示す。本実施形態の回転電機１のケース２は、図１及び図２に示すように、筒状のヨークハウジング３と、このヨークハウジング３の開口部３ａを閉塞する略有蓋円筒状の上側エンドハウジング１０と、ヨークハウジング３の下側の開口部３ｂを閉塞する略有底円筒状の下側エンドハウジング２０とを有している。そして、ヨークハウジング３には、スナップフィット構造により上側エンドハウジング１０及び下側エンドハウジング２０が取り付けられ、ケース２を形成するようになっている。
【００２４】
図２に示すように、ヨークハウジング３の内周面３ｃには、一対のマグネット４（図３参照）が固定されるとともに、マグネット４よりも径方向内側にはアーマチャ（電機子）５が回転可能に支持されている。
【００２５】
図３に示すように、一対のマグネット４間には、周方向に弾性力が作用するスペーサ部材６が設けられている。スペーサ部材６は、２つの略半円筒状の部材の周方向端部間を連続させた形状を成し、マグネット４間において周方向に所定の弾性力が作用してマグネット４を保持するように構成されている。
【００２６】
アーマチャ５は、回転軸７を備えるとともに、回転軸７は上側エンドハウジング１０の及び下側エンドハウジング２０に設けられるボールベアリング８にて回転可能に支持されている。また、上側エンドハウジング１０に位置する回転軸７には、整流子９が固着される。この整流子９は、後述する上側エンドハウジング１０に設けたブラシホルダ３０に設けられるブラシＢが摺接するように構成されている。そして、外部電源から前記ブラシＢ及び整流子９を介してアーマチャ５のコイル（図示略）が励磁されることでアーマチャ５及び回転軸７が同回転軸７の中心軸線Ｌを回転中心として回転されるようになっている。
【００２７】
上側エンドハウジング１０は、熱可塑性樹脂からなり、図２及び図３に示すように、略円盤状の本体部１０ａの中央部分を上方に膨出させて形成された内側凹部を、前記ベアリング８を収容固定する収容凹部１０ｂとしている。このベアリング８を収容する収容凹部１０ｂの下方には、回転軸７に固着される整流子９を収容する空間が形成されている。そして、その収容凹部１０ｂの中心位置には、回転軸７を貫通させるための貫通孔１０ｃが貫通形成されている。
【００２８】
また、略円盤状の本体部１０ａは、中心軸線Ｌを挟んで１８０°対向する位置に、一対のブラシ保持部１１が、前記膨出基端部から径方向であって下方に傾斜するように延出形成されている。そして、一対のブラシ保持部１１の先端部には、Ｌ字状に屈曲したガイド壁１２がそれぞれ形成されている。
【００２９】
一対のブラシ保持部１１は、図６に示すように、その下面１１ａの中央部に断面コ字形状の位置決め溝１３が長手方向に基端（整流子９側）からガイド壁１２に至るまで凹設されている。そして、この断面コ字形状の位置決め溝１３が形成されることによって形成される両側の側壁を位置決め側壁１４としている。
【００３０】
溝１３を挟んで形成された位置決め側壁１４の整流子９側には、相対向するように第１係止突起１５がそれぞれ突出形成されている。そして、両第１係止突起１５の相対向する面には、それぞれ位置決め側壁１４の側面と面一になっている。
【００３１】
また、ガイド壁１２の各位置決め側壁１４側には、相対向するように第２係止突起１６がそれぞれ突起形成されている。そして、両第２係止突起１６の相対向する面は、整流子９側に位置する第１係止突起１５の面（他の第１係止突起１５と相対向する面）と面一になっている。
【００３２】
各側壁１４に設けた第１係止突起１５は、略直方体形状であって、図７に示すように、整流子９側かつ位置決め溝１３側の角部が略直方体形状に切り欠かれた第１切り欠き部１５ａを備えている。この第１切り欠き部１５ａは、第１係止突起１５の下側に位置する側壁１４の溝１３より下側の位置まで形成されている。
【００３３】
第１切り欠き部１５ａは、周方向に対して直角に交差する第１壁面Ｗ１と、径方向に対して直角に交差する第２壁面Ｗ２とを有している。そして、その第１壁面Ｗ１に径方向（幅方向）の中央部には、半円柱状の第１挟持突条Ｔ１が第１壁面Ｗ１の幅方向を２等分するように延出形成されている。また、第１壁面Ｗ１及び第２壁面Ｗ２とそれぞれ直角に交差する上面（第３側壁Ｗ３（図７参照））には、半円柱状の第１押圧突条Ａ１が、第１壁面Ｗ１から突出形成された前記第１挟持突条Ｔ１と交差しないように、位置決め溝１３側に偏倚させて径方向に沿って延出形成されている。
【００３４】
また、ガイド壁１２に設けた第２係止突起１６は、略直方体形状であって、図７に示すように、整流子９側かつ位置決め溝１３側の角部が略直方体形状に切り欠かれた第２切り欠き部１６ａを備えている。この第２切り欠き部１６ａは、第２係止突起１６の下側に位置するガイド壁１２からブラシ保持部１１を貫通するように形成されている。そして、ブラシ保持部１１を貫通形成された一対の第２切り欠き部１６ａは、本実施形態では、ブラシ保持部１１を切り欠くことによって、互いに連結されている。
【００３５】
第２切り欠き部１６ａは、周方向に対して直角に交差する第１壁面Ｓ１と、径方向に対して直角に交差する第２壁面Ｓ２とを有している。そして、その第１壁面Ｓ１の径方向（幅方向）の中央部には、半円柱状の第２挟持突条Ｔ２が第１壁面Ｓ１の幅方向を２等分するように延出形成されている。また、第１壁面Ｓ１及び第２壁面Ｓ２とをそれぞれ直角に交差する上面（第３壁面Ｓ３）には、半円柱状の第２押圧突条Ａ２が、第１壁面Ｓ１から突出形成された前記第２挟持突条Ｔ２と交差しないように、位置決め溝１３側に偏倚させて径方向に沿って延出形成されている。
【００３６】
そして、この一対の第１係止突起１５と一対の第２係止突起１６との間にブラシホルダ３０が取着される。
ブラシホルダ３０は、図５に示すように、ブラシケース３１と、ブラシケース３１に取着されるプレート３２を備えている。
【００３７】
ブラシケース３１は、熱伝導性の高い金属からなり、断面略コ字形状に形成され、略直方体形状の本体部３１ａの短手方向の両端部にブラシＢの側面を囲む側壁３１ｂが形成されている。両側壁３１ｂの外側面間の間隔は、一対の第１係止突起１５の相対向する面間の間隔（一対の第２係止突起１６の相対向する面間も同様）と一致させるようにしている。
【００３８】
尚、図５において、本体部３１ａには、後方（反整流子９側）にのびるガイド部としてのガイド板３１ｃが形成され、そのガイド板３１ｃ及び本体部３１ａには、ブラシＢと接続されるピッグテール（図示せず）を案内する切り欠き部３１ｅが形成されている。
【００３９】
両側壁３１ｂの整流子９側の端部には、第１掛け止めフックＦ１がそれぞれ反整流子９側にのびるように形成されている。また、第１掛け止めフックＦ１より反整流子９側に所定間隔をおいた位置の側壁３１ｂの端部には、第２掛け止めフックＦ２がそれぞれ反整流子９側にのびるように形成されている。
【００４０】
側壁３１ｂの端部に設けた各第１掛け止めフックＦ１及び第２掛け止めフックＦ２には、プレート３２が掛け止めされる。
プレート３２は、熱硬化性樹脂からなり、略直方体形板状であって、その厚みは側壁１４の上面と第１切り欠き部１５ａ（第２切り欠き部１６ａ）の第３壁面Ｗ３（第３壁面Ｓ３）間の間隔と一致させている。プレート３２は、長手方向における中央部両側部が長方形状に切り欠かれている。つまり、プレート３２の長手方向における中央部分の幅（短手方向の長さ）が狭く、その幅狭部分３２ａを挟んだ両端部分が幅広部分３２ｂ，３２ｃになっている。
【００４１】
そして幅狭部分３２ａの両端幅はブラシＢの両側壁の外側面間の間隔と一致させている。また、整流子９側の幅広部分３２ｂの両端幅は、各第１係止突起１５の形成した第１切り欠き部１５ａの第１壁面Ｗ１間の間隔を一致されている。さらに、反整流子９側の幅広部分３２ｃの両端幅は、各第２係止突起１６の形成した第２切り欠き部１６ａの第１壁面Ｓ１の間隔と一致させている。
【００４２】
従って、プレート３２の整流子９側の幅広部分３２ｂを、それぞれ第１係止突起１５の形成した第１切り欠き部１５ａに、またプレート３２の反整流子９側の幅広部分３２ｃを、それぞれ第２係止突起１６の形成した第２切り欠き部１６ａに、押し込むことができる。つまり、プレート３２を第１係止突起１５及び第２係止突起１６の間を上方から、その幅広部分３２ｂ，３２ｃが引っ掛からないよう挿入する。そして、挿入した斜め上方位置から対応する第１及び第２切り欠き部１５ａ，１６ａに嵌合し支持される。
【００４３】
このとき、プレート３２は、第１及び第２切り欠き部１５ａ，１６ａの第１壁面Ｗ１，Ｓ１に形成した半円柱状の第１及び第２挟持突条Ｔ１，Ｔ２にて挟持される。また、プレート３２は、第１及び第２切り欠き部１５ａ，１６ａの第３壁面Ｗ３，Ｓ３に形成した半円柱状の第１及び第２押圧突条Ａ１，Ａ２にて押圧される。
【００４４】
また、プレート３２の整流子９側の幅広部分３２ｂの両側部には、それぞれ長方形状の第１掛け止め孔Ｋ１がプレート３２の厚み方向に貫通して形成されている。また、プレート３２の反整流子９側の幅広部分３２ｃの両側部には、それぞれ長方形状の第２掛け止め孔Ｋ２がプレート３２の厚み方向に貫通して形成されている。
【００４５】
そして、第１掛け止め孔Ｋ１には、ブラシケース３１の第１掛け止めフックＦ１が、第２掛け止め孔Ｋ２には、ブラシケース３１の第２掛け止めフックＦ２が、それぞれ掛けられる。詳述すると、ブラシケース３１の第１及び第２掛け止めフックＦ１，Ｆ２の先端を、プレート３２の対応する第１及び第２掛け止め孔Ｋ１，Ｋ２に挿入する。そして、第１及び第２掛け止めフックＦ１，Ｆ２の屈曲に沿ってプレート３２を動かして第１及び第２掛け止めフックＦ１，Ｆ２を第１及び第２掛け止め孔Ｋ１，Ｋ２に貫通させて、ブラシケース３１をプレート３２に係合させる。第１及び第２掛け止めフックＦ１，Ｆ２は屈曲しているため、プレート３２が抜け難くなっている。
【００４６】
このように、プレート３２が取着されたブラシケース３１は、上記したプレート３２を第１及び第２切り欠き部１５ａ，１６ａに嵌合固定した方法で、プレート３２を嵌合固定することによって、ブラシ保持部１１に固定される。
【００４７】
そして、図４に示すように、ブラシ保持部１１に固定されたプレート３２が取着されたブラシケース３１（ブラシホルダ３０）は、プレート３２とブラシケース３１との間に形成された空間に対応する略直方体状のブラシＢが挿入される。このとき、ブラシＢは、熱硬化性樹脂からなるプレート３２を介してブラシ保持部１１に支持される。
【００４８】
ブラシＢが整流子９に摺接する位置まで挿入されると、ブラシＢにおいて、上側エンドハウジング１０の外周側にコイルばね３３が挿入される。そして、図８に示すように、ブラシケース３１において、ガイド板３１ｃがプレート３２側に向けて折り曲げられる。これによって、コイルばね３３は縮設され、同コイルばね３３の弾性力によって、ブラシＢは整流子９に摺接するようになっている。
【００４９】
また、コイルばね３３はブラシＢを押圧するとともに、ブラシケース３１のガイド板３１ｃを押圧する反発力が生じ、ブラシケース３１は、コイルばね３３によって反整流子９側に押圧される。このため、ブラシＢが下方向に向けて整流子９に摺接するように回転電機１が設置された場合に、整流子９側に移動してしまうブラシケース３１を、コイルばね３３の反発力によって、整流子９側に移動しないようにしている。
【００５０】
次に、上側エンドハウジング１０とヨークハウジング３とを連結するスナップフィット構造について簡単に説明する。
図２に示すように、上側エンドハウジング１０において、一対のブラシ保持部１１の間であって本体部１０ａに形成した貫通孔１０ｃを挟んで相対向する位置には、それぞれスナップフィット構造が形成されている。
【００５１】
本体部１０ａの外縁から軸線方向一方に突出するとともに前記ヨークハウジング３の上側の開口部３ａと当接する一対のカバー壁Ｃがそれぞれ形成される。この一対のカバー壁Ｃは、周方向に４箇所軸線方向に切り込み形成されている。その切り込みによって、それぞれ１つのカバー壁Ｃから５個の第１〜第５側壁Ｃ１〜Ｃ５が形成されている。
【００５２】
そして、一方のブラシ保持部１１に隣接した第１側壁Ｃ１と他方のブラシ保持部１１に隣接した第５側壁Ｃ５とは同形状に形成されている。また、第１側壁Ｃ１と隣接した第２側壁Ｃ２と第５側壁Ｃ５と隣接した第４側壁Ｃ４とは同形状に形成されている。
【００５３】
第１側壁Ｃ１と第５側壁Ｃ５は、その先端外周面径方向外側に位置決め突起部Ｄ１，Ｄ２が形成されている。上側エンドハウジング１０がヨークハウジング３の上側の開口部３ａを閉塞したとき、位置決め突起部Ｄ１，Ｄ２がヨークハウジング３の上側の開口端に当接するようになっている。
【００５４】
第３側壁Ｃ３は、第１側壁Ｃ１（及び第５側壁Ｃ５）よりもその軸方向が長く形成され、その略中間位置（位置決め突起部Ｄ１，Ｄ２と同じ形成位置）に、外周面径方向外側に位置決め突起部Ｄ３が形成されている。そして、上側エンドハウジング１０をヨークハウジング３の上側の開口部３ａを閉塞したとき、位置決め突起部Ｄ３がヨークハウジング３の上側の開口端に当接するようになっている。
【００５５】
また、この位置決め突起部Ｄ３には、その下側面の中央位置に嵌合凸部Ｄ４が形成されている。そして、上側エンドハウジング１０をヨークハウジング３の上側の開口部３ａを閉塞したとき、嵌合凸部Ｄ４がヨークハウジング３の上側の開口端に形成した上側嵌合凹部３ｄに嵌合してヨークハウジング３に対する上側エンドハウジング１０の周方向の位置決め固定を行うようになっている。
【００５６】
第２側壁Ｃ２と第４側壁Ｃ４は、第３側壁Ｃ３に形成した位置決め突起部Ｄ３の位置よりもその軸方向が長く形成され、その先端外周面径方向外側にフック部Ｄ５が形成されている。そして、上側エンドハウジング１０をヨークハウジング３の上側の開口部３ａを閉塞したとき、第２側壁Ｃ２と第４側壁Ｃ４の先端部分は、撓んでヨークハウジング３内にその内周面３ｃを押圧しながら挿入される。やがて、ヨークハウジング３の側面に形成した上側掛け止め貫通穴３ｅにフック部Ｄ５が到達すると、フック部Ｄ５が上側掛け止め貫通穴３ｅに弾性力にて落ち込み嵌合するようになっている。これによって、ヨークハウジング３に対して上側エンドハウジング１０が外れないようになっている。
【００５７】
次に、下側エンドハウジング２０とヨークハウジング３を連結するためのスナップフィット構造について簡単に説明する。
有底円筒状の下側エンドハウジング２０の外周壁Ｅは、周方向に４箇所軸線方向に切り込み形成されている。その切り込みによって、それぞれ相対応する一対のスナップ側壁Ｅ１と一対の位置決め側壁Ｅ２が形成されている。
【００５８】
位置決め側壁Ｅ２は、その略中間位置に外周面径方向外側に位置決め突起部Ｇ１が形成されている。そして、下側エンドハウジング２０をヨークハウジング３の下側の開口部３ｂを閉塞したとき、位置決め突起部Ｇ１がヨークハウジング３の下側の開口端に当接するようになっている。
【００５９】
また、この位置決め突起部Ｇ１には、その上側面の中央位置に嵌合凸部Ｇ２が形成されている。そして、下側エンドハウジング２０をヨークハウジング３の下側の開口部３ｂを閉塞したとき、嵌合凸部Ｇ２がヨークハウジング３の下側の開口端に形成した下側嵌合凹部３ｆに嵌合してヨークハウジング３に対する下側エンドハウジング２０の周方向の位置決め固定を行っている。
【００６０】
スナップ側壁Ｅ１は、その先端外周方向外側にフック部Ｇ３が形成されている。そして、下側エンドハウジング２０をヨークハウジング３の下側の開口部３ｂを閉塞したとき、スナップ側壁Ｅ１の先端部分は、撓んでヨークハウジング３内にその内周面３ｃを押圧しながら挿入される。やがて、ヨークハウジング３の側面に形成した下側掛け止め貫通穴３ｇにフック部Ｇ３が到達すると、フック部Ｇ３が下側掛け止め貫通穴３ｇに弾性力にて落ち込み嵌合するようになっている。これによって、ヨークハウジング３に対して下側エンドハウジング２０が外れないようになっている。
【００６１】
次に、本実施形態の特徴的な作用効果を記載する。
（１）本実施形態では、上側エンドハウジング１０の一部分であるブラシＢを保持するブラシ保持部１１に対して、耐熱性に優れた熱硬化性樹脂からなるプレート３２を配設したので、ブラシＢの通電等による発熱（又は、ブラシＢと整流子９とが互いにこすれ合って生じる摩擦熱）で、プレート３２が熱変形等を引き起こす虞がない。
【００６２】
また、プレート３２を介してブラシＢと対向する上側エンドハウジング１０の一部分であるブラシ保持部１１にブラシＢの熱が直接伝達されず、ブラシ保持部１１が熱変形等を引き起こす虞がない。
【００６３】
従って、ブラシ保持部１１を形成する上側エンドハウジング１０を、熱硬化性樹脂と比較して成形性が高く、厚みをより薄く成形することのできる熱可塑性樹脂にて成形することができる。その結果、ブラシホルダ装置の成形精度が上がり、ブラシホルダ装置の低騒音化及び低振動化に寄与することができる。
【００６４】
また、熱可塑性樹脂は、熱硬化性樹脂と比較してコストが低いため、低コストにてブラシホルダ装置を構成することができる。
（２）本実施形態では、プレート３２の第１及び第２掛け止め孔Ｋ１，Ｋ２にそれぞれ貫通係合させるブラシケース３１の第１及び第２掛け止めフックＦ１，Ｆ２を、屈曲形成した。従って、ブラシケース３１は、プレート３２から抜けることなく、ブラシ保持部１１から脱落することはない。また、ブラシケース３１が金属製のため、ブラシＢの熱がブブラシケース３１から放熱されやすくなり、その結果、ブラシＢからエンドハウジング１０（ブラシ保持部１１）への熱の伝達を更に抑えることができる。
【００６５】
（３）本実施形態では、プレート３２が、第１及び第２係止突起１５，１６の各壁面Ｗ２，Ｓ２に当接させるようにして第１及び第２切り欠き部１５ａ，１６ａに圧入されて固定されるため、プレート３２（ブラシホルダ３０）の位置決めを容易に行うことが可能となる。さらに、第１及び第２係止突起１５，１６に設けられた第１及び第２挟持突条Ｔ１，Ｔ２と、第１及び第２押圧突条Ａ１，Ａ２とが、プレート３２をそれぞれ挟持又は押圧して、プレート３２を固定する。このため、第１及び第２係止突起１５，１６に設けられた第１及び第２挟持突条Ｔ１，Ｔ２と、第１及び第２押圧突条Ａ１，Ａ２とによって、プレート３２が強固に固定できる。
【００６６】
（４）本実施形態では、ブラシケース３１のガイド板３１ｃが折り返され、ブラシＢとガイド板３１ｃとに挟まれる位置には、コイルばね３３が配置される。このため、コイルばね３３の弾性力にてブラシＢを押圧するとともに、コイルばね３３の反発力にてブラシケース３１がブラシＢ側に移動することが抑制される。
【００６７】
（５）本実施形態では、ブラシケース３１は、熱伝導性の高い金属により構成されるため、ブラシＢが熱を放熱し易くなり、ブラシの寿命を向上可能とする。
尚、本発明の実施形態は、以下のように変更してもよい。
【００６８】
・上記実施形態では、第１及び第２係止突起１５，１６をそれぞれ２つずつ設けたが、数はこれに限定しない。尚、第１及び第２係止突起１５，１６の個数に対応させて、プレート３２の形状を変化させることが望ましい。
【００６９】
・上記実施形態では、第１係止突起１５に突条Ｔ１及びＡ１を、第２係止突起１６に突条Ｔ２及びＡ２をそれぞれ設けたが、第１及び第２係止突起１５，１６に設けられる突条は１つのみでもよく、また３つ以上でもよい。また、突条の形状は、半円柱状以外でもよい。
【００７０】
・上記実施形態では、上側エンドハウジング１０とヨークハウジング３をスナップフィット構造にて構成したが、ねじ等で固定する構造としてもよい。
・上記実施形態では、ブラシケース３１の第１及び第２掛け止めフックＦ１，Ｆ２は、先端が屈曲された形状としたが、これに限らず他の形状でもよい。
【００７１】
・上記実施形態では、弾性部材としてコイルばね３３を用いたが、弾性力を有していればよく、板ばね等でもよい。
・上記実施形態では、ブラシケース３１の第１及び第２掛け止めフックＦ１，Ｆ２にてプレート３２がブラシケース３１に掛け止めされる構成としたが、これに特に限定されるものではなく、例えば、図９（ａ）（ｂ）に示すように、プレート３２がブラシケース３１にかしめによって固定される構成としてもよい。図９（ａ）に示すように、かしめ前の状態でブラシケース３１の各側壁３１ｂには、本体部３１ａとは反対側に立設された複数のかしめ片４１（図９においては各側壁３１ｂに２つ）が形成されている。そして、図９（ｂ）に示すように、ブラシケース３１の各かしめ片４１がプレート３２に複数形成された貫通孔４２にそれぞれ挿通されてかしめられることで、プレート３２がブラシケース３１に固定されるようになっている。このような構成によっても、上記実施形態と同様の効果を奏する。
【００７２】
・上記実施形態では、ブラシケース３１とプレート３２とがそれぞれ別体（ブラシケース３１が金属製、プレート３２が熱硬化性樹脂）で構成されたが、これに特に限定されるものではなく、ブラシケース３１とプレート３２とを熱硬化性樹脂で一体成形する構成としてもよい（図１０参照）。この構成によれば、熱硬化性樹脂からなるプレート３２とブラシケース３１とが一体成形されるため、プレート３２とブラシケース３１とを組み付けるための係止等の加工が不要となり、容易に成形することが可能となる。尚、図１０に示す例では、ブラシホルダ３０の反整流子側端部（図１０では手前側の端部）において、コイルばね３３の飛び出しを防止する防止壁５１がブラシケース３１及びプレート３２に一体成形されているが、これ以外に例えば、プレート３２とブラシケース３１の一体成形品に対し、防止壁５１を別体として追加装着するように構成してもよい。
【符号の説明】
【００７３】
９…整流子、１１…ブラシ保持部、１５…第１係止突起、１５ａ…第１切り欠き部、１６…第２係止突起、１６ａ…第２切り欠き部、３０…ブラシホルダ、３１…ブラシケース、３１ｃ…ガイド部としてのガイド板、３２…プレート、３３…コイルばね（弾性部材）、Ａ１…第１押圧突条、Ａ２…第２押圧突条、Ｂ…ブラシ、Ｆ１…第１掛け止めフック（係止部）、Ｆ２…第２掛け止めフック（係止部）、Ｋ１…第１掛け止め孔（被係止部）、Ｋ２…第２掛け止め孔（被係止部）、Ｔ１…第１挟持突条、Ｔ２…第２挟持突条。
【図１】
2011193688.tif 000003
【図２】
2011193688.tif 000004
【図３】
2011193688.tif 000005
【図４】
2011193688.tif 000006
【図５】
2011193688.tif 000007
【図６】
2011193688.tif 000008
【図７】
2011193688.tif 000009
【図８】
2011193688.tif 000010
【図９】
2011193688.tif 000011
【図１０】
2011193688.tif 000012